(57)【特許請求の範囲】
【請求項１】
天面壁と該天面壁の周縁から垂下するスカート壁とを有する合成樹脂製容器蓋において、該天面壁には、円弧状主部と該円弧状主部の両端から延在する一対の付加部とを有する破断可能薄肉ラインによって、円形主部と帯状付加部とから構成された開口領域が規定されており、該帯状付加部の先端縁は薄肉ラインによって規定されており、該破断可能薄肉ラインを破断し該帯状付加部の先端縁をヒンジとして該開口領域を下方に変位せしめることができる、ことを特徴とする合成樹脂製容器蓋。
【請求項２】
該帯状付加部の先端縁を規定している該薄肉ラインの肉厚Ｄ１は該破断可能薄肉ラインの肉厚Ｄ２よりも大きい、請求項１記載の合成樹脂製容器蓋。
【請求項３】
該破断可能薄肉ラインの該円弧状主部は１８０度を越える角度範囲に渡って延びている、請求項１又は２に記載の合成樹脂製容器蓋。
【請求項４】
該天面壁の中央部には円形沈降部が形成されており、該開口領域は該沈降部に規定されている、請求項１から３までのいずれかに記載の合成樹脂製容器蓋。
【請求項５】
該破断可能薄肉ラインは該天面壁の外面にスコアを形成することによって生成されており、ストローの先端を該破断可能薄肉ラインの該円弧状主部に作用せしめることによって該破断可能薄肉ラインを破断することができる、請求項１から４までのいずれかに記載の合成樹脂製容器蓋。
【請求項６】
該スコアは０．４乃至１．５ｍｍである深さＤ３を有する、請求項５記載の合成樹脂製容器蓋。
【発明の詳細な説明】
【０００１】
【発明の属する技術分野】
本発明は、合成樹脂製容器蓋、更に詳しくは、容器の口頸部から容器蓋を離脱することなく容器蓋の天面壁にストローを挿通せしめ、ストローを通して容器内の飲料を吸引することができる合成樹脂製容器蓋に関する。
【０００２】
【従来の技術】
容器蓋を装着することによって開口が閉じられている容器に収容されている飲料、例えば乳飲料或いはコーヒ等の飲料、を飲む場合、容器から容器蓋を離脱せしめて開口を解放し、開口から直接的に飲料を飲むことを好む人と、容器蓋にストローを挿通せしめて、ストローを通して飲料を吸引することを好む人がいる。前者は主として男性であり、後者は主として女性である。かような事実に鑑みて、容器に離脱自在に装着される容器蓋の天面壁に、押圧力を加えることによって破断される破断可能ラインによって規定された開口領域を形成した容器蓋が提案され、実用に供されている。かような容器蓋においては、所望により容器から容器蓋を離脱することに代えて、開口領域にストローを当接せしめて押圧して破断可能ラインを破断せしめて開口を形成し、かかる開口を通してストローを挿通せしめれば、ストローを通して容器内の飲料を吸引することができる。
【０００３】
【発明が解決しようとする課題】
天面壁にストローを挿通せしめることができる形態の容器蓋においては、（１）ストローを挿通せしめるための開口を充分容易に形成することができること、（２）衛生上の見地から、ストローを挿通せしめるために破断可能ラインを破断せしめて開口を形成しても、天面壁の一部が離脱せしめられて容器内に落下することがないこと、（３）天面壁にストローを挿通せしめた時に、天面壁には容器内に空気を導入するための空気導入孔が形成されること（かような空気導入孔が形成されないと、容器内の飲料をストローを介して吸引することが実質上不可能である）、という三要件を充足することが重要である。しかしながら、本発明者等が知る限りにおいて、かかる三要件の全てを充分確実に充足する容器蓋は未だ実現されていない。
【０００４】
本発明は上記事実に鑑みてなされたものであり、その主たる技術的課題は、上記三要件の全てを充分確実に充足することができる、天面壁にストローを挿通せしめることができる形態の、新規且つ改良された合成樹脂製容器蓋を提供することである。
【０００５】
【課題を解決するための手段】
本発明者等は、鋭意検討の結果、天面壁に破断可能薄肉ラインによって規定された所要形状の開口領域を形成し、かかる開口領域の先端縁を薄肉ラインによって規定することによって上記主たる技術的課題を達成することができることを見出した。
【０００６】
即ち、本発明によれば、上記主たる技術的課題を達成する合成樹脂製容器蓋として、天面壁と該天面壁の周縁から垂下するスカート壁とを有する合成樹脂製容器蓋において、該天面壁には、円弧状主部と該円弧状主部の両端から延在する一対の付加部とを有する破断可能薄肉ラインによって、円形主部と帯状付加部とから構成された開口領域が規定されており、該帯状付加部の先端縁は薄肉ラインによって規定されており、該破断可能薄肉ラインを破断し該帯状付加部の先端縁をヒンジとして該開口領域を下方に変位せしめることができる、ことを特徴とする合成樹脂製容器蓋が提供される。
【０００７】
好適実施形態においては、該帯状付加部の先端縁を規定している該薄肉ラインの肉厚Ｄ１は該破断可能薄肉ラインの肉厚Ｄ２よりも大きい。該破断可能薄肉ラインの該円弧状主部は１８０度を越える角度範囲に渡って延びている。該天面壁の中央部には円形沈降部が形成されており、該開口領域は該沈降部に規定されている。該破断可能薄肉ラインは該天面壁の外面にスコアを形成することによって生成されており、ストローの先端を該破断可能薄肉ラインの該円弧状主部に作用せしめることによって該破断可能薄肉ラインを破断することができる。該スコアは０．４乃至１．５ｍｍである深さＤ３を有する。
【０００８】
【発明の実施の形態】
以下、本発明に従って構成された合成樹脂製容器蓋の好適実施形態を図示している添付図面を参照して、更に詳細に説明する。
【０００９】
図１乃至図４を参照して説明すると、本発明に従って構成された全体を番号２で示す合成樹脂製容器蓋は、ポリエチレン及びポリプロピレンの如き適宜の合成樹脂から一体に成形されている。かかる容器蓋２は、円形天面壁４及びこの天面壁４の周縁から垂下するスカート壁６を有している。スカート壁６には周方向に延びる破断可能ライン８が形成されており、スカート壁６は破断可能ライン８よりも上方の主部１０と破断可能ライン８よりも下方のタンパーエビデント裾部１２とに区画されている。スカート壁６の内周面には下方に延びる突条１４が周方向に適宜の間隔を置いて複数個（図示の場合８個）形成されており、上記破断可能ライン８は、突条１４の軸線方向中間部において、スカート壁６の外周面から切断刀（図示していない）を作用せしめ、突条１４の少なくとも一部を残留せしめてスカート壁６を切断することによって形成される。突条１４の各々の切断されることなく残留せしめられた部分が所謂橋絡部を構成し、タンパーエビデント裾部１２は橋絡部を介してスカート壁６の主部１０に接続されている。
【００１０】
スカート壁６の主部１０の内周面には、図４から理解されるとおり、係合手段１６が形成されている。係合手段１６は、周方向に適宜の間隔を置いて配設され周方向に延びる複数個（図示の場合８個）の弧状突条１８から構成されている。また、スカート壁６のタンパーエビデント裾部１２の内周面には、係止手段２０が形成されている。係止手段２０は周方向に間隔を置いて配設され半径方向内方に向かって上方に傾斜して延びる複数個（図示の場合８個）の突出片２２から構成されており、突出片２２及び弧状突条１８は周方向の大部分において交互に位置するように配設せしめられている。
【００１１】
スカート壁６の主部１０の外周面には、半径方向外方に突出する鍔２４が形成されており、スカート壁６のタンパーエビデント裾部１２の外周面には、円弧状突出部２６及び摘み片２８が形成されている。円弧状突出部２６は半径方向外方に突出せしめられ鍔２４と整合せしめられており、摘み片２８は鍔２４に対して略９０度離隔せしめられた位置に配設せしめられ基端部３０及び円弧状部３２から構成されている。円弧状部３２は、図３から明確に理解される如く、基端部３０の端部から周方向に、スカート壁６のタンパーエビデント裾部１２の外周面に沿って円弧状に延びている。摘み片２８の円弧状部３２の内面はスカート壁６のタンパーエビデント裾部１２の外周面から離隔されているが、図３に図示する如く、円弧状部３２の内面からスカート壁６のタンパーエビデント裾部１２の外周面まで延びる破断可能な細い接続片３４が配設されている。また、スカート壁６のタンパーエビデント裾部１２には、摘み片８の基端部３０の近傍において、タンパーエビデント裾部１２の軸方向全幅に渡って延びるスリット３６が形成されている。
【００１２】
天面壁４の内面の外周縁部には、図４に図示するとおり、内側円筒状シール片３８及び外側円筒状シール片４０が形成されている。内側円筒状シール片３８は天面壁４の内面から下方に向かって半径方向外方に若干傾斜して延出している。外側円筒状シール片４０は内側円筒状シール片３８から半径方向外方に所定距離離間せしめて配置されており、天面壁４の内面から実質上鉛直に下方に延出せしめられている。
【００１３】
図３と共に図５を参照して説明を続けると、天面壁４は環状主部４２、円形沈降部４４、及び主部４２と沈降部４４との間に介在せしめられている円錐台筒状部４６を有する。沈降部４４は天面壁４の中央部に形成されている。天面壁４の沈降部４４には、沈降部４４の外面にスコア４８を形成することによって破断可能薄肉ライン５０が生成されており、この破断可能薄肉ライン５０によって、開口領域５２が規定されているのが望ましい。破断可能薄肉ライン５０は円弧状主部５４、円弧状主部５４の両端から沈降部４４の周縁近傍まで延在する一対の付加部５６を有している。円弧状主部５４は１８０度を越える角度範囲に渡って延びているのが好ましい。一対の付加部５６は円弧状主部５４の両端から離れるに従って両者間の間隔が漸次増大する形態である。開口領域５２は円形主部５８、帯状付加部６０とから構成されている。開口領域５２の帯状付加部６０の先端縁は、沈降部４４の外面にスコア６２を形成することによって生成される円弧状に延びる薄肉ライン６４によって規定されており、薄肉ライン６４の肉厚Ｄ１は、破断可能薄肉ライン５０の肉厚Ｄ２よりも大きいのが好適である。破断可能薄肉ライン５０の肉厚Ｄ２は０．２乃至０．３ｍｍ程度でよく、薄肉ライン６４の肉厚Ｄ１は破断可能薄肉ラインＤ２よりも０．１乃至０．２ｍｍ大きいのが好ましい。薄肉ライン６４の肉厚Ｄ１が破断可能薄肉ライン５０の肉厚Ｄ２と同一或いはこれよりも小さい場合には、後に詳述する如くして、ストローを挿通せしめるために、ストローの先端を破断可能薄肉ライン５０の円弧状主部５４に作用せしめると、破断可能薄肉ライン５０と共に薄肉ライン６４が破断され、開口領域５２が天面壁４の沈降部４４から離脱せしめられ、容器内に落下するという衛生上好ましくない事態が発生する虞がある。スコア４８は０．４乃至１．５ｍｍである深さＤ３を有するのが好ましい。スコア４８の深さＤ３が過剰に浅い場合には、ストローの先端に対するスコア４８の案内作用が不十分になり、破断可能薄肉ライン５０の円弧状主部５４にストローの先端を所要とおりに位置せしめることが困難になる傾向がある。ストロー自体は破断可能薄肉ライン５０の円弧状主部５４の直径と実質上同一の直径を有し、その先端縁は２０乃至６０度程度でよい角度で傾斜せしめられているのが好都合である。（図１を参照されたい）。
【００１４】
図示の実施形態においては、更に、図１及び図３に二点鎖線で示し図２、図４及び図５に実線で示す如く、天面壁４の外面上にはシール部材６７が配設されている。かかるシール部材６７は天面壁４における環状主部４２に剥離可動に接着され、天面壁４における沈降域４４及び円錐台筒状部４６を覆っている。シール部材６７は、例えばアルミニウム箔と適宜の合成樹脂フィルムとの積層体、或いは所謂ガスバリア性に優れた合成樹脂フィルムの単層又は積層体から形成することができる。図示の実施形態におけるシール部材６７は矩形状である。所望ならば、円形或いはその他の形状のシール部材を天面壁４上に配設することもできる。天面壁４の環状主部４２に対するシール部材６７の剥離可能な接着は周知の熱接着によって好都合に遂行することができる。シール部材６７の周縁部の一部、例えば図３に交差線で示す領域、は天面壁４の環状主部４２に対して非接着状態にせしめられているのが好都合である。シール部材６７を天面壁４から離脱する際には、シール部材６７の非接着領域を把持して引っ張り、かくして充分容易にシール部材６７を天面壁４から剥離することができる。かようなシール部材６７は天面壁４における沈降部４４（後述するとおり、かかる沈降部４４にはストローが挿通せしめられる）に埃等が堆積するのを防止する。そしてまた、天面壁４の沈降部４４に形成されている薄肉ライン５０及び６４は薄肉である故に所謂ガスバリア性が比較的小さいが、シール部材６７は薄肉ライン５０及び６４のガスバリア性を補完する。所望ならば、天面壁４における沈降部４４自体の外面に直接的にシール部材を剥離可能に接着して薄肉ライン５０及び６４に直接的に覆うこともできる。
【００１５】
図６は容器６６の口頸部６８に図１乃至図４に図示する容器蓋２を装着して、口頸部６８を密封した状態における突出片２２と容器６６の係止あご部７０との係合状態を図示しており、図７は容器６６の口頸部６８に図１乃至図４に図示する容器蓋２を装着して、口頸部６８を密封した状態における弧状突条１８と容器６６の係止あご部７０との係合状態を図示している。容器６６の口頸部６８は全体として略円筒形状であり、その外周面には係止あご部７０が形成されている。容器６６の口頸部６８に容器蓋２を装着する際には、容器６６の口頸部６８に容器蓋２を被嵌して下方に押圧すると、容器蓋２のスカート壁６の内周面に形成されている、係止手段２０、突条１４及び係合手段１６がそれ自体の弾性変形或いはスカート壁６の弾性変形によって係止あご部７０を通過する。次いで弾性的に復元して係止手段２０及び係合手段１６が係止あご部７０に係止乃至係合せしめられる。一方、容器蓋２の内側円筒状シール片３８は容器６６の口頸部６８の内周面に密接せしめられて半径方向内方に撓まされ、容器蓋２の外側円筒状シール片４０は容器６６の口頸部６８の外周面に密接せしめられて半径方向外方に撓まされ、これによって容器６６の口頸部６８が密封される。
【００１６】
図１、図３及び図５を参照して説明を続けると、例えば乳飲料である容器６６（図６及び図７）の内容物をストローを通して飲む際には、最初にシール部材６７を天面壁４から離脱せしめて沈降部４４を露呈せしめる。次いで、図１に二点鎖線で示す如く、ストローの先端をスコア４８内に進入せしめ、破断可能薄肉ライン５０の円弧状主部５４に当接し押圧せしめて、ストローを下方に変位せしめると、破断可能薄肉ライン５０の円弧状主部５４と共に付加部５６の各々が破断される。かくして、開口領域５２は付加部５６の先端縁をヒンジとして下方に変位され、開口領域５２の主部５８を通ってストローが容器６６内に進入せしめられる。開口領域５２の付加部５６が存在していた部分は空気導入孔として機能する。開口領域５２の主部５８規定する、破断可能薄肉ライン５０の円弧状主部５４が１８０度を越える角度範囲に渡って延びている場合、開口領域５２の主部５８に挿通せしめられたストローは主部５８内に拘束され、従って充分容易にストローを通して内容物を吸引することができる。
【００１７】
容器６６の口頸部６８から容器蓋２を離脱して口頸部６８を開封する際には、最初に摘み片２８の円弧状部３２を外方に強制して細い接続片３４を破断せしめる。次いで、円弧状部３２を把持して所要方向に引っ張り破断可能ライン８を破断すると、スカート壁６のタンパーエビデント裾部１２が主部１０から分離せしめられると共に口頸部６８から離脱せしめられる。しかる後に、スカート壁６の主部１０に形成されている鍔２４に指を掛けて上方に強制して、係合手段１６を構成する８個の弧状突条１８を口頸部６８の係止あご部７０から弾性的に離脱せしめ、天面壁４及びスカート壁６の主部１０を口頸部６８から離脱せしめる。開封した口頸部６８を一時的に仮密封することが望まれる場合には、タンパーエビデント裾部１２が分離された容器蓋２、即ち天面壁４及びスカート壁６の主部１０を口頸部６８に被嵌して押圧し、係合手段１６を構成する８個の弧状突条１８を口頸部６６の係止あご部７０に再び係合せしめればよい。
【００１８】
図示の容器蓋２は、スカート壁６の内周面に配設された係止手段２０及び係合手段１６を容器６６の口頸部６８に形成されている係止あご部７０に係止せしめて、容器６６の口頸部６８に装着される形態であるが、本発明はかかる形態の容器蓋に限定されるものではなく、種々の形態の容器蓋、例えばスカート壁の内面に配設されている雌螺条を容器の口頸部に形成されている雄螺条に螺合せしめることによって容器の口頸部に装着される形態の容器蓋、にも適用することができるものである。
【００１９】
【発明の効果】
本発明の容器蓋においては、（１）ストローを挿通せしめるための開口を充分容易に形成することができること、（２）衛生上の見地から、ストローを挿通せしめるために破断可能薄肉ラインを破断せしめて開口を形成しても、天面壁の一部が離脱せしめられて容器内に落下することがないこと、（３）天面壁にストローを挿通せしめた時に、天面壁には容器内に空気を導入するための空気導入孔が形成されること（かような空気導入孔が形成されないと、容器内の飲料をストローを介して吸引することが実質上不可能である）、という三要件を充足することができる。
【図面の簡単な説明】
【図１】本発明に従って構成された容器蓋の好適実施形態を示す斜面図。
【図２】図１に示す容器蓋の正面図。
【図３】図１に示す容器蓋の上面図。
【図４】図３の線Ａ−Ａにおける断面図。
【図５】図４に示す沈降部近傍を拡大して示す部分拡大断面図。
【図６】図１に示す容器蓋を容器の口頸部に装着した状態における突出片と容器の係止あご部との係合状態を示す拡大部分断面図。
【図７】図１に示す容器蓋を容器の口頸部に装着した状態における弧状突条と容器の係止あご部との係合状態を示す拡大部分断面図。
【符号の説明】
２：容器蓋
４：天面壁
６：スカート壁
４４：沈降部
４８：スコア
５０：破断可能薄肉ライン
５２：開口領域
５４：円弧状主部
５６：付加部
５８：円形主部
６０：帯状付加部
６４：薄肉ライン
【図１】
0004612199.tif 000002
【図２】
0004612199.tif 000003
【図３】
0004612199.tif 000004
【図４】
0004612199.tif 000005
【図５】
0004612199.tif 000006
【図６】
0004612199.tif 000007
【図７】
0004612199.tif 000008